(57)【特許請求の範囲】
【請求項１】
粘着領域が設けられた面が外側を向くようにローラ状に巻回された粘着テープと、
前記粘着テープが先端に装着され、頁のめくり元位置で頁を前記粘着テープに付着させるとともに頁が付着された前記粘着テープを頁のめくり先位置まで送るアーム部と、
を備え、
前記粘着テープは、巻軸に沿う方向に突出した突出部を備え、
前記突出部は、非粘着領域として設けられているとともに前記巻軸に沿う方向に切り込みが設けられていることを特徴とする頁めくり装置。
【請求項２】
前記切り込みは、前記非粘着領域から前記粘着領域に食み出さないように設けられていることを特徴とする請求項１に記載の頁めくり装置。
【発明の詳細な説明】
【技術分野】
【０００１】
本発明は、頁めくり装置に関する。
【背景技術】
【０００２】
従来、ゴミ取り用等の粘着テープは、一般に、一方の面（表側）に粘着面を有し、巻芯に巻回された粘着ローラとして提供される。このような粘着テープにおいては、ゴミ等が付着して粘着性を失った場合、使用した面を容易に剥がして未使用の面を露出させるために加工が施されている。例えば、特許文献１では、粘着テープの端から端までミシン目（切り込み）を入れることで剥がし易くしている。これ以外にも様々な加工が提案されている。
【０００３】
図５（ａ）、（ｂ）は、従来技術による粘着テープの一例を示す図である。図５（ａ）、（ｂ）に示す例では、粘着テープ１の２カ所に一方の端部から他方の端部までミシン目２、２を入れている。ミシン目２、２は、各々、同一箇所に重なって形成されている。
【０００４】
図６は、従来技術による粘着テープの他の例を示す図である。図６に示す例では、図５（ａ）、（ｂ）に示す例と同様に、粘着テープ１０の一方の端部から他方の端部までミシン目１１を形成しているが、ミシン目１１は任意の位置になるようにしている。
【０００５】
図７（ａ）、（ｂ）は、従来技術による粘着テープの他の例を示す図である。図７（ａ）、（ｂ）に示す例では、粘着テープ２０の少なくとも一方の端部の外周上全てに非粘着部２１を形成し、後加工により当該非粘着部２１の同じ位置にミシン目２２を入れている。
【０００６】
また、本の頁を機械的にめくるための装置である頁めくり装置に粘着テープを用いる技術が開示されている（例えば特許文献２参照）。
この特許文献２における頁めくり装置は、本の電子化に際して、本を裁断することなく各頁を撮影するために、本の頁を自動的にめくるための装置である。この場合、粘着テープは、汚れを取る目的ではなく、本の頁をめくるために用いられる。本の頁をめくるアームの先端に粘着テープを装着し、開かれた本の頁のめくり元位置とめくり先位置との間を、粘着テープを装着した部分が弧を描くように往復動作することで頁をめくるようになっている。先端に装着された粘着テープは、本の頁に当たる粘着面位置が少しずつ変わるように回転して、粘着テープの外周面を満遍なく使用し、粘着テープの粘着力が弱くなった場合には、最表面の粘着部材を一周分剥がし、ミシン目に沿って切断する。
【先行技術文献】
【特許文献】
【０００７】
【特許文献１】登録実用新案第３０５５７５３号
【特許文献２】特開２０１４−１１７８９３号公報
【発明の概要】
【発明が解決しようとする課題】
【０００８】
ところで、図５（ａ）、（ｂ）に示す粘着テープ１では、巻芯に粘着テープ１を巻回してから後加工により同じ位置にミシン目２、２を入れているため、ミシン目２、２を入れるカッターを抜いた際に、ミシン目２、２を入れた部分に盛り上がり部分３が形成され、真円度を損なってしまうことになる。このため、盛り上がり部分３が対象物５に接触した場合は、粘着テープ１の接触長さＬ１が他の部分が接触した場合と比べて小さくなってしまうため、接触面積が小さくなり粘着力が弱くなってしまう。このような粘着テープ１を頁めくり装置の粘着テープとして使用すると、本の頁に当たる粘着面位置を少しずつ変えるために粘着テープ１を回転するため、盛り上がり部分３が本の頁に接触した場合とその他の部分が接触した場合とで、粘着力が異なってしまい、頁めくり性能の低下につながるという問題が生じる。
【０００９】
また、図６に示す粘着テープ１０では、ミシン目１１の位置を異ならせているものの、ミシン目１１が散在することで、無数の凹凸部１３が発生してしまい、粘着テープ１０の外周１２の真円度を損なうことになる。このため、結果として凹凸部１３が対象物５と接触した際に、粘着テープ１０の接触長さＬ２が粘着テープ１０の部分ごとに異なってしまい、特に凸部における接触長さＬ２が小さくなってしまうため、接触面積が小さくなり粘着力が弱くなってしまう。この粘着テープ１０を頁めくり装置に使用する場合でも、本の頁に当たる粘着面位置が変わるたびに粘着力が異なってしまうため、頁めくり性能の低下につながるという問題が生じる。
【００１０】
また、図７（ａ）、（ｂ）に示す粘着テープ２０では、ミシン目２２を非粘着部２１に形成しているので、ミシン目２２を入れた部分が盛り上ることはなく、粘着面２３の外周の真円度は保たれるが、一部にしかミシン目２２が入っていないので、ミシン目２２の視認性が悪く、カットする箇所が識別しにくいという問題が生じる。
【００１１】
そこで本発明は、切り込みの視認性を損なうことなく、外周面のどこの位置で対象物と接触しても粘着力が均一となる粘着テープを備える頁めくり装置を提供することを目的とする。
【課題を解決するための手段】
【００１３】
この発明に係る頁めくり装置は、粘着領域が設けられた面が外側を向くようにローラ状に巻回された粘着テープと、前記粘着テープが先端に装着され、頁のめくり元位置で頁を前記粘着テープに付着させるとともに頁が付着された前記粘着テープを頁のめくり先位置まで送るアーム部と、を備え、前記粘着テープは、巻軸に沿う方向に突出した突出部を備え、前記突出部は、非粘着領域として設けられているとともに前記巻軸に沿う方向に切り込みが設けられていることを特徴とする。
【発明の効果】
【００１４】
この発明によれば、切り込みの視認性を損なうことなく、外周面のどこの位置で対象物と接触しても粘着力が均一となる粘着テープを備える頁めくり装置を提供することができる。
【図面の簡単な説明】
【００１５】
【図１】本発明の実施形態による頁めくり装置３０の外観構成を示す正面図である。
【図２】本実施形態による頁めくり装置３０の外観構成を示す斜視図である。
【図３】本実施形態による頁めくり装置３０の動作を説明するための正面図及び斜視図である。
【図４】本実施形態による頁めくり装置３０用の粘着テープ３６の一例を示す図である。
【図５】従来技術による粘着テープの一例を示す図である。
【図６】従来技術による粘着テープの他の例を示す図である。
【図７】従来技術による粘着テープの他の例を示す図である。
【発明を実施するための形態】
【００１６】
以下、本発明の実施の形態を、図面を参照して説明する。
【００１７】
本実施形態では、粘着テープを、頁めくり装置に用いた例に付いて説明する。
【００１８】
図１は、本発明の実施形態による頁めくり装置３０の外観を示す正面図である。また、図２は、本実施形態による頁めくり装置３０の外観を示す斜視図である。図１、図２において、頁めくり装置３０は、本３１を載置する本台３２−１、３２−２と、アーム部３３と、該アーム部３３を、駆動軸３４を中心に駆動する第１駆動部３５と、アーム部３３の先端に取り付けられた粘着テープ３６と、粘着テープ３６を、駆動軸３７を中心に回転駆動する第２駆動部３８と、粘着テープ３６に付着した頁に対して風を当てることで頁を粘着テープ３６から離脱させるための送風部３９とを備えている。
【００１９】
図３（ａ）〜（ｆ）は、本実施形態による頁めくり装置３０の動作を説明するための正面図及び斜視図である。頁めくり装置３０において、まず、図３（ａ）、（ｄ）に示すように、本３１を本台３２−１側に固定し、アーム部３３を駆動してセット位置にセットする。このとき、アーム部３３の先端に取り付けられている粘着テープ３６の粘着面が本３１の１頁目Ｐ１を押圧する。これにより、本３１の１頁目Ｐ１が粘着テープ３６に付着する。
【００２０】
次に、図３（ａ）、（ｂ）、（ｄ）、（ｅ）に示すように、アーム部３３を駆動して矢印Ａの方向に回転させると、粘着テープ３６に付着した１頁目Ｐ１がめくり上げられる。そして、図３（ｃ）、（ｆ）に示すように、アーム部３３の回転に伴って本台３２−２側までくると、粘着テープ３６の回転と送風部３９からの風によって１頁目Ｐ１が粘着テープ３６から離脱して本台３２−２側に案内される。その後、図３（ｃ）に示すように、アーム部３３を駆動して矢印Ｂの方向に回転させ、アーム部３３及び粘着テープ３６を元の位置（次の頁）に戻し、上述した動作を繰り返す。
なお、粘着テープの外周面を満遍なく使用するために、矢印Ｂの方向にアーム部３３を駆動／回転させてアーム部３３及び粘着テープ３６を元の位置（次の頁）に戻すまでの間に、駆動軸３７を中心に回転駆動する第２駆動部３８を駆動して、本の頁に当たる粘着面位置が少しずつ変わるように粘着テープ３６を回転させる。
【００２１】
図４は、本実施形態による頁めくり装置３０用の粘着テープ３６の一例を示す図である。本実施形態では、ロール状の粘着テープ３６の少なくとも一方の端部に当該端部から突出した非粘着突出部３６−１を設け、当該非粘着突出部３６−１にテープカット用の切り込み３６−２を形成している。非粘着突出部３６−１は、使用済みの粘着テープ３６をカットする長さごとに形成されている。したがって、図４に示すように、円周上の１箇所にだけ形成されている必要はなく、カットする長さに応じて円周上に２箇所以上であってもよい。
【００２２】
上述した頁めくり装置３０において、粘着テープ３６の接着力が弱くなってきた場合には、接着力が弱くなった部分を剥がして未使用の粘着面を露出させればよい。使用済みの接着力が弱くなった部分を剥がす際には、非粘着突出部３６−１を摘まんで粘着力が弱くなった部分の粘着テープ３６を引き剥がし、次の非粘着突出部３６−１に形成されている切り込み３６−２に沿って粘着テープ３６をカットして使用済み部分を剥がせばよい。
【００２３】
切り込み３６−２が粘着性のない非粘着突出部３６−１のみに有るため、粘着テープ３６の外周の真円度が保たれ、接触長さＬ即ち接触面積が大きく、外周のどの部分であっても粘着力が均一で粘着性能が安定する。更に、切り込み３６−２が形成されている非粘着突出部３６−１がテープ端面から突出しているため、一見してどこでカットすればよいか分かるので、テープカットする際の視認性が向上するとともに、作業性も向上する。
【００２４】
なお、図４に示す例では、非粘着突出部３６−１が内周から外周に渡って同じ位置に形成されているが、これに限らず、非粘着突出部３６−１の位置を内周から外周に渡って異なるようにしてもよい。つまり、ロール状の内周から外周に渡ってカット長が変わってくるので、非粘着突出部３６−１が同じ位置にくるようにするためには、非粘着突出部３６−１を形成する間隔を徐々に変える必要があり、製造工程が複雑になる。これに対して、非粘着突出部３６−１の位置を内周から外周に渡って異ならせるのであれば、非粘着突出部３６−１を等間隔で形成すればよく、製造工程を簡略化することが可能となる。
【００２５】
上述した実施形態によれば、少なくとも一方の端部に当該端部から突出するように粘着性のない非粘着突出部３６−１を形成し、該非粘着突出部３６−１にテープカット用の切り込み３６−２を形成するようにしたので、切り込み３６−２の視認性を損なうことなく、粘着テープ３６の外周の真円度が保たれ、接触長さＬが大きくなり、十分な接触面を安定して確保することができる。
【００２６】
また、上述した実施形態によれば、非粘着突出部３６−１をロール状の粘着テープ３６の内周から外周に渡って同じ位置に形成するようにしたので、一見してどこでカットすればよいか分かり、テープカットする際の視認性を向上させることができるとともに、作業性も向上させることができる。
【００２７】
また、上述した実施形態によれば、非粘着突出部３６−１をロール状の粘着テープ３６の内周から外周に渡って異なる位置に形成するようにしたので、非粘着突出部３６−１を形成する際の製造工程をより簡略化することができる。
【００２８】
また、上述した実施形態によれば、非粘着突出部３６−１を、使用済みの粘着テープ３６をカットする長さごとに形成するようにしたので、無駄に粘着テープ３６をカットすることなく、有効的に使用することができる。
【００２９】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００３０】
（付記１）
付記１に記載の発明は、粘着領域が設けられた面が外側を向くようにローラ状に巻回された粘着テープであって、巻軸に沿う方向に突出した突出部を備え、前記突出部は、非粘着領域として設けられているとともに前記巻軸に沿う方向に切り込みが設けられていることを特徴とする粘着テープである。
【００３１】
（付記２）
付記２に記載の発明は、前記切り込みは、前記非粘着領域から前記粘着領域に食み出さないように設けられていることを特徴とする付記１に記載の粘着テープである。
【００３２】
（付記３）
付記３に記載の発明は、粘着領域が設けられた面が外側を向くようにローラ状に巻回された粘着テープと、前記粘着テープが先端に装着され、頁のめくり元位置で頁を前記粘着テープに付着させるとともに頁が付着された前記粘着テープを頁のめくり先位置まで送るアーム部と、を備え、前記粘着テープは、巻軸に沿う方向に突出した突出部を備え、前記突出部は、非粘着領域として設けられているとともに前記巻軸に沿う方向に切り込みが設けられていることを特徴とする頁めくり装置である。
【符号の説明】
【００３３】
３０  頁めくり装置
３１  本
３２−１、３２−２  本台
３３  アーム部
３４  駆動軸
３５  第１駆動部
３６  粘着テープ
３６−１  非粘着突出部
３６−２  切り込み
３７  駆動軸
３８  第２駆動部
３９  送風部
【図１】
0006447923.tif 000002
【図２】
0006447923.tif 000003
【図３】
0006447923.tif 000004
【図４】
0006447923.tif 000005
【図５】
0006447923.tif 000006
【図６】
0006447923.tif 000007
【図７】
0006447923.tif 000008